(57)【要約】【課題】本発明は、モータ駆動制御装置、モータ駆動制御方法及びそれを用いたモータに関する。【解決手段】本発明によるモータ駆動制御装置は、逆起電力検出部と、オフセット補正部と、制御部と、を含む。上記逆起電力検出部は、モータ装置から発生する逆起電力を検出する。上記オフセット補正部は、上記逆起電力検出部にオフセット遅延が存在するか否かを判断し、上記オフセット遅延が存在すると、それを補正する。上記制御部は、上記オフセット補正部によりオフセット遅延が補正された逆起電力を用いて上記モータ装置の駆動を制御する。【選択図】図３
2014117134.tif 000002
【特許請求の範囲】
【請求項１】
モータ装置から発生する逆起電力を検出する逆起電力検出部と、
前記逆起電力検出部にオフセット遅延が存在するか否かを判断し、前記オフセット遅延が存在すると、それを補正するオフセット補正部と、
前記オフセット補正部によりオフセット遅延が補正された逆起電力を用いて前記モータ装置の駆動を制御する制御部と、を含む、モータ駆動制御装置。
【請求項２】
前記逆起電力検出部は、第１信号及び第２信号を受信し、前記第１信号及び前記第２信号を比較して出力する比較器を含む、請求項１に記載のモータ駆動制御装置。
【請求項３】
前記オフセット補正部は、前記比較器により発生するオフセット遅延を補正する、請求項２に記載のモータ駆動制御装置。
【請求項４】
前記オフセット補正部は、一定の勾配を有する線形の基準電圧を生成して前記第１信号として提供する基準電圧生成器を含み、
前記第２信号は、既に設定された値を維持する参照電圧である、請求項２または３に記載のモータ駆動制御装置。
【請求項５】
前記オフセット補正部は、
一定の勾配を有する線形の基準電圧を生成して前記第１信号として提供する基準電圧生成器と、
時間に対する前記比較器の出力変化を用いて前記比較器のオフセット遅延を検出するオフセット制御器と、を含む、請求項２または３に記載のモータ駆動制御装置。
【請求項６】
前記オフセット補正部は、前記比較器の入力端と連結される可変抵抗器をさらに含み、
前記オフセット制御器は、検出された前記オフセット遅延に応じて前記可変抵抗器の抵抗値を変更させる、請求項５に記載のモータ駆動制御装置。
【請求項７】
前記可変抵抗器は、
前記第１信号が入力される第１入力端と連結される第１可変抵抗器と、
前記第２信号が入力される第２入力端と連結される第２可変抵抗器と、のうち少なくとも一つを含む、請求項６に記載のモータ駆動制御装置。
【請求項８】
前記オフセット補正部は、前記基準電圧または前記モータ装置の相電圧のうち何れか一つが前記第１信号として入力されるようにスイッチングするスイッチ器をさらに含み、
前記オフセット制御器は、前記オフセット遅延の補正が完了すると、前記相電圧が前記第１信号として入力されるように前記スイッチ器を制御する、請求項５から７の何れか１項に記載のモータ駆動制御装置。
【請求項９】
駆動制御信号に応じて回転動作を行うモータ装置と、
前記モータ装置から発生する逆起電力を検出するための比較器のオフセット遅延を補正し、前記オフセット遅延が補正された比較器から出力された前記逆起電力を用いて前記駆動制御信号を生成するモータ駆動制御装置と、を含む、モータ。
【請求項１０】
前記モータ駆動制御装置は、
前記比較器を用いて前記モータ装置から発生する逆起電力を検出する逆起電力検出部と、
前記比較器のオフセット遅延を算出し、前記オフセット遅延が存在すると、それを補正するオフセット補正部と、
前記オフセット補正部によりオフセット遅延が補正された逆起電力を用いて前記モータ装置の駆動を制御する制御部と、を含む、請求項９に記載のモータ。
【請求項１１】
前記オフセット補正部は、
一定の勾配を有する線形の基準電圧を生成して前記比較器に提供する基準電圧生成器と、
時間に対する前記比較器の出力変化を用いて前記比較器のオフセット遅延を検出するオフセット制御器と、を含む、請求項１０に記載のモータ。
【請求項１２】
前記オフセット補正部は、前記比較器の入力端と連結される可変抵抗器をさらに含み、
前記オフセット制御器は、検出された前記オフセット遅延に応じて前記可変抵抗器の抵抗値を変更させる、請求項１１に記載のモータ。
【請求項１３】
前記オフセット補正部は、前記基準電圧または前記モータ装置の相電圧のうち何れか一つが前記比較器に入力されるようにスイッチングするスイッチ器をさらに含み、
前記オフセット制御器は、前記オフセット遅延の補正が完了すると、前記相電圧が比較器に入力されるように前記スイッチ器を制御する、請求項１１または１２に記載のモータ。
【請求項１４】
モータ装置の駆動を制御するモータ駆動制御装置により行われるモータ駆動制御方法であって、
一定の勾配を有する線形の基準電圧を生成する段階と、
既に設定された値を維持する参照電圧及び前記基準電圧を受信する比較器の出力を用いることで、前記比較器のオフセット遅延を判断する段階と、
前記オフセット遅延が存在すると、前記比較器の前記オフセット遅延を補正する段階と、を含む、モータ駆動制御方法。
【請求項１５】
前記遅延が補正された比較器から前記モータ装置に対する逆起電力を検出し、検出された逆起電力を用いて前記モータ装置の駆動制御信号を生成する段階をさらに含む、請求項１４に記載のモータ駆動制御方法。
【請求項１６】
前記オフセット遅延を判断する段階は、
既に設定された値を維持する参照電圧及び前記基準電圧を受信する比較器の出力を検出する段階と、
所定の単位基準時間に対する前記出力の変化を用いて前記オフセット遅延を判断する段階と、を含む、請求項１４または１５に記載のモータ駆動制御方法。
【請求項１７】
前記基準電圧は、既に設定された第１電圧まで一定の勾配を有して増加する電圧であり、
前記参照電圧は、前記第１電圧の１／２に該当する、請求項１６に記載のモータ駆動制御方法。
【請求項１８】
前記出力の変化を用いて前記オフセット遅延を判断する段階は、
前記比較器の出力値が変更される第１時点と前記基準電圧が前記第１電圧に至る第２時点とを比較する段階と、
前記第１時点が前記第２時点の１／２値に該当しないと、前記オフセット遅延が存在すると判断する段階と、を含む、請求項１７に記載のモータ駆動制御方法。
【請求項１９】
前記オフセット遅延を補正する段階は、前記比較器の入力端に連結された可変抵抗の抵抗値を変更することで、前記オフセット遅延を補正する段階を含む、請求項１４から１８の何れか１項に記載のモータ駆動制御方法。
【発明の詳細な説明】
【技術分野】
【０００１】
本発明は、モータ駆動制御装置、モータ駆動制御方法及びそれを用いたモータに関する。
【背景技術】
【０００２】
モータ技術の発展に伴い、幅広い技術分野において多様な大きさを有するモータが用いられている。
【０００３】
一般に、モータは、永久磁石と印加電流に応じて極性を変えるコイルとを用いて回転子（Ｒｏｔｏｒ）を回転させて駆動する。最初のモータ形態は、回転子にコイルが備えられたブラシタイプのモータであったが、モータの駆動によってブラシが磨耗したり、スパークが発生するなどの問題点があった。
【０００４】
これにより、最近は、多様な形態のブラシレスモータが広く用いられている。ブラシレスモータは、ブラシや整流子などの機械的な接触部を除去し、その代わりに電子的な整流器具を用いて駆動する直流モータであり、永久磁石からなる固定子（ｓｔａｔｏｒ）と、複数の相に対応するコイルを備え、各コイルの相電圧により発生する磁気力によって回転する回転子と、を含むことができる。
【０００５】
このようなブラシレスモータが効率的に駆動するためには、固定子の各コイルの転流（ｃｏｍｍｕｔａｔｉｏｎ）が適切な時点で行われなければならず、適切な転流のためには回転子の位置を認識することが必要である。
【０００６】
回転子の位置を検出するために、従来はホールセンサまたはリゾルバなどの素子を用いていたが、この場合、駆動回路が複雑となる限界がある。
【０００７】
これを補完するために、センサに代えて逆起電力（ＢＥＭＦ、Ｂａｃｋ-Ｅｌｅｃｔｒｏ  Ｍｏｔｉｖｅ  Ｆｏｒｃｅ）を用いて相の位置を把握してブラシレスモータを駆動する技術が広く用いられている。
【０００８】
従来の逆起電力を検出する回路は、比較器を必須的に用いる。即ち、逆起電力を検出する回路には、相電圧と中性点電圧を比較するための比較器が必須的に用いられる。
【０００９】
しかし、このような比較器は製作工程上の影響などによってオフセット遅延を有する。また、このようなオフセット遅延は、一定に発生するのでなく、各比較器ごとに異なるように決定される。
【００１０】
そのため、従来のモータ制御方式は、このような比較器によるオフセット遅延を補正することができないという限界があった。
【００１１】
下記先行技術文献は上記のようなモータに関するものであるが、上述の問題点を解決できないという限界を有している。
【先行技術文献】
【特許文献】
【００１２】
【特許文献１】韓国公開特許公報  第２００７ー００７９８５７号
【特許文献２】韓国公開特許公報  第２００６ー００８９４８２号
【発明の概要】
【発明が解決しようとする課題】
【００１３】
本発明は、上記の従来技術の問題点を解決するためのものであって、一定の勾配を有する基準電圧を用いて比較器のオフセット遅延を検出し、それを能動的に補正することにより、オフセット遅延が補正された逆起電力を用いてモータ装置をより正確に制御することができるモータ駆動制御装置、モータ駆動制御方法及びそれを用いたモータを提供することをその目的とする。
【課題を解決するための手段】
【００１４】
本発明の第１技術的な側面によると、モータ駆動制御装置が提案される。上記モータ駆動制御装置は、逆起電力検出部と、オフセット補正部と、制御部と、を含む。上記逆起電力検出部は、モータ装置から発生する逆起電力を検出する。上記オフセット補正部は、上記逆起電力検出部にオフセット遅延が存在するか否かを判断し、上記オフセット遅延が存在すると、それを補正する。上記制御部は、上記オフセット補正部によりオフセット遅延が補正された逆起電力を用いて上記モータ装置の駆動を制御する。
【００１５】
一実施形態において、上記逆起電力検出部は、第１信号及び第２信号を受信し、上記第１及び第２信号を比較して出力する比較器を含むことができる。
【００１６】
一実施形態において、上記オフセット補正部は、上記比較器により発生するオフセット遅延を補正することができる。
【００１７】
一実施形態において、上記オフセット補正部は、一定の勾配を有する線形の基準電圧を生成して上記第１信号として提供する基準電圧生成器を含むことができ、上記第２信号は、既に設定された値を維持する参照電圧であることができる。
【００１８】
一実施形態において、上記オフセット補正部は、基準電圧生成器と、オフセット制御器と、を含むことができる。上記基準電圧生成器は、一定の勾配を有する線形の基準電圧を生成して上記第１信号として提供することができる。上記オフセット制御器は、時間に対する上記比較器の出力変化を用いて上記比較器のオフセット遅延を検出することができる。
【００１９】
一実施形態において、上記オフセット補正部は、上記比較器の入力端と連結される可変抵抗器をさらに含むことができ、上記オフセット制御器は、検出された上記オフセット遅延に応じて上記可変抵抗器の抵抗値を変更させることができる。
【００２０】
一実施形態において、上記可変抵抗器は、上記第１信号が入力される第１入力端と連結される第１可変抵抗器と、上記第２信号が入力される第２入力端と連結される第２可変抵抗器と、のうち少なくとも一つを含むことができる。
【００２１】
一実施形態において、上記オフセット補正部は、上記基準電圧または上記モータ装置の相電圧のうち何れか一つが上記第１信号として入力されるようにスイッチングするスイッチ器をさらに含むことができ、上記オフセット制御器は、上記オフセット遅延の補正が完了すると、上記相電圧が上記第１信号として入力されるように上記スイッチ器を制御することができる。
【００２２】
本発明の第２技術的な側面によると、モータが提案される。上記モータは、モータ装置と、モータ駆動制御装置と、を含む。上記モータ装置は、駆動制御信号に応じて回転動作を行う。上記モータ駆動制御装置は、上記モータ装置から発生する逆起電力を検出するための比較器のオフセット遅延を補正し、上記オフセット遅延が補正された比較器から出力された上記逆起電力を用いて上記駆動制御信号を生成することができる。
【００２３】
一実施形態において、上記モータ駆動制御装置は、逆起電力検出部と、オフセット補正部と、制御部と、を含むことができる。上記逆起電力検出部は、上記比較器を用いて上記モータ装置から発生する逆起電力を検出することができる。上記オフセット補正部は、上記比較器のオフセット遅延を算出し、上記オフセット遅延が存在すると、それを補正することができる。上記制御部は、上記オフセット補正部によりオフセット遅延が補正された逆起電力を用いて上記モータ装置の駆動を制御することができる。
【００２４】
一実施形態において、上記オフセット補正部は、基準電圧生成器と、オフセット制御器と、を含むことができる。上記基準電圧生成器は、一定の勾配を有する線形の基準電圧を生成して上記比較器に提供することができる。上記オフセット制御器は、時間に対する上記比較器の出力変化を用いて上記比較器のオフセット遅延を検出することができる。
【００２５】
一実施形態において、上記オフセット補正部は、上記比較器の入力端と連結される可変抵抗器をさらに含むことができ、上記オフセット制御器は、検出された上記オフセット遅延に応じて上記可変抵抗器の抵抗値を変更させることができる。
【００２６】
一実施形態において、上記オフセット補正部は、上記基準電圧または上記モータ装置の相電圧のうち何れか一つが上記比較器に入力されるようにスイッチングするスイッチ器をさらに含むことができ、上記オフセット制御器は、上記オフセット遅延の補正が完了すると、上記相電圧が比較器に入力されるように上記スイッチ器を制御することができる。
【００２７】
本発明の第３技術的な側面によると、モータ駆動制御方法が提案される。上記モータ駆動制御方法は、モータ装置の駆動を制御するモータ駆動制御装置により行われる。上記モータ駆動制御方法は、一定の勾配を有する線形の基準電圧を生成する段階と、既に設定された値を維持する参照電圧及び上記基準電圧を受信する比較器の出力を用いて上記比較器のオフセット遅延を判断する段階と、上記オフセット遅延が存在すると、上記比較器の上記オフセット遅延を補正する段階と、を含む。
【００２８】
一実施形態において、上記モータ駆動制御方法は、上記遅延が補正された比較器から上記モータ装置に対する逆起電力を検出し、検出された逆起電力を用いて上記モータ装置の駆動制御信号を生成する段階をさらに含むことができる。
【００２９】
一実施形態において、上記オフセット遅延を判断する段階は、既に設定された値を維持する参照電圧及び上記基準電圧を受信する比較器の出力を検出する段階と、所定の単位基準時間に対する上記出力の変化を用いて上記オフセット遅延を判断する段階と、を含むことができる。
【００３０】
一実施形態において、上記基準電圧は、既に設定された第１電圧まで一定の勾配を有して増加する電圧であり、上記参照電圧は、上記第１電圧の１／２に該当することができる。
【００３１】
一実施形態において、上記出力の変化を用いて上記オフセット遅延を判断する段階は、上記比較器の出力値が変更される第１時点と上記基準電圧が上記第１電圧に至る第２時点とを比較する段階と、上記第１時点が上記第２時点の１／２値に該当しないと、上記オフセット遅延が存在すると判断する段階と、を含むことができる。
【００３２】
一実施形態において、上記オフセット遅延を補正する段階は、上記比較器の入力端に連結された可変抵抗の抵抗値を変更することで、上記オフセット遅延を補正する段階を含むことができる。
【発明の効果】
【００３３】
本発明の一実施形態によると、一定の勾配を有する基準電圧を用いて比較器のオフセット遅延を検出し、それを能動的に補正することにより、オフセット遅延が補正された逆起電力を用いてモータ装置をより正確に制御することができる効果がある。
【図面の簡単な説明】
【００３４】
【図１】モータ駆動制御装置の一例を説明するための構成図である。
【図２】図１の逆起電力検出部の一例を説明するための概略的な回路図である。
【図３】本発明によるモータ駆動制御装置の一実施形態を説明するための構成図である。
【図４】図３のオフセット補正部の一実施形態を説明するための細部構成図である。
【図５】図３のオフセット補正部によるオフセット補正を説明するための参照グラフである。
【図６】図３のオフセット補正部によるオフセット補正を説明するための参照グラフである。
【図７】本発明によるモータ制御方法の一実施形態を説明するためのフローチャートである。
【発明を実施するための形態】
【００３５】
以下では、添付の図面を参照し、本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。なお、図面における要素の形状及び大きさなどはより明確な説明のために誇張されることがある。
【００３６】
以下では、説明の便宜上、ブラシレスモータを基準として本発明を説明する。しかし、これは説明の便宜のためのものであるため、本発明の権利範囲が必ずしもブラシレスモータに限定されないということは明確である。
【００３７】
また、以下では、モータそのものはモータ装置２０、２００と称し、モータ装置２０、２００を駆動させるためのモータ駆動制御装置１０、１００とモータ装置２０、２００とを含んでモータと称して説明する。
【００３８】
図１はモータ駆動制御装置の一例を説明するための構成図であり、図２は図１の逆起電力検出部の一例を説明するための概略的な回路図である。
【００３９】
図１及び図２を参照すると、モータ駆動制御装置１０は、電源供給部１１と、駆動信号生成部１２と、インバータ部１３と、逆起電力検出部１４と、制御部１５と、を含むことができる。
【００４０】
電源供給部１１は、モータ駆動制御装置１０の各構成要素に電源を供給することができる。例えば、電源供給部１１は、商用電源の交流電圧を直流電圧に変換して各構成要素に供給することができる。図示された例において、点線で示された部分は、電源供給部１１から所定の電源が供給されることを意味する。
【００４１】
駆動信号生成部１２は、インバータ部１３に駆動制御信号を提供することができる。
【００４２】
一実施形態において、駆動制御信号はパルス幅変調信号（ＰＷＭ、Ｐｕｌｓｅ  Ｗｉｄｔｈ  Ｍｏｄｕｌａｔｉｏｎ）であることができる。この場合、駆動信号生成部１２は、所定の基準波形（例えば、三角波）に可変的な直流レベルを適用することで、パルス幅変調信号のデューティを調節することができる。
【００４３】
インバータ部１３は、モータ装置２０が動作するようにすることができる。例えば、インバータ部１３は、駆動制御信号に応じて直流電圧を複数の相（例えば、３相または４相）電圧に変換してモータ装置２０のコイル（上記複数の相に対応）にそれぞれ印加することにより、モータ装置２０の回転子が動作するようにすることができる。
【００４４】
逆起電力検出部１４は、モータ装置２０の逆起電力を検出することができる。モータ装置２０が回転する場合、回転子に備えられたコイルで逆起電力が発生する。より詳細に説明すると、複数のコイルのうち相電圧が印加されていないコイルで逆起電力が発生し、逆起電力検出部１４は、このようにモータ装置２０の各コイルで発生する逆起電力を検出して制御部１５に提供することができる。
【００４５】
制御部１５は、逆起電力検出部１４から提供される逆起電力を用いることで、駆動制御信号を生成するように駆動信号生成部１２を制御することができる。例えば、制御部１５は、逆起電力のゼロクロス（Ｚｅｒｏ−Ｃｒｏｓｓｉｎｇ）時点に相転換が行われるように駆動信号生成部１２を制御することができる。
【００４６】
モータ装置２０は、駆動制御信号に応じて回転動作を行うことができる。例えば、インバータ部１３から提供される駆動電流により、モータ装置２０の各コイルに磁場を発生させることができる。このようなコイルで発生する磁場により、モータ装置２０に備えられた回転子が回転することができる。
【００４７】
図２は図１の逆起電力検出部の一例を説明するための概略的な回路図である。
【００４８】
図２に示されたモータ装置２０は、３相のコイルを備えており、３相のコイルの中性点から直接電圧を取得することができる例に関するものである。しかし、実施形態によって、中性点から直接電圧を取得せず、３相のコイルから仮想中性点電圧を取得することもできる。
【００４９】
一例として、逆起電力検出部１４は、検出された極電圧と中性点電圧それぞれを抵抗及びキャパシタで構成された低域通過フィルタに通過させ、これを比較器１４ー１を用いて比較することにより逆起電力を検出することができる。このような低域通過フィルタは、駆動制御信号をフィルタリングするために用いられることができる。従って、このような低域通過フィルタは必須構成ではなく、実施形態によって、逆起電力検出部１４は低域通過フィルタを含まないように構成されることもできる。
【００５０】
しかし、このような逆起電力検出部１４は、比較器１４ー１によって発生するオフセット遅延を補正することができないという問題がある。即ち、比較器１４ー１は、オフセット電圧によって出力値の相（ｐｈａｓｅ）が遅れたり、進んだりする遅延（オフセット遅延）が発生するが、図示された例では、このようなオフセット遅延を補正することができないという問題がある。
【００５１】
以下では、図３から図７を参照して本発明の多様な実施形態について説明する。以下で説明する本発明の多様な実施形態は、比較器自体によって発生するオフセット遅延を補正することができる実施形態に関するものである。
【００５２】
後述する本発明の多様な実施形態に関する説明のうち、図１及び図２を参照して上述した内容と同一であるか、またはそれに相応する内容については繰り返し説明しない。しかし、当業者にとって、上述した説明から本発明の具体的な内容が明確に理解できることは明白である。
【００５３】
図３は本発明によるモータ駆動制御装置の一実施形態を説明するための構成図である。
【００５４】
図３を参照すると、モータ駆動制御装置１００は、電源供給部１１０と、駆動信号生成部１２０と、インバータ部１３０と、逆起電力検出部１４０と、制御部１５０と、オフセット補正部１６０と、を含むことができる。
【００５５】
電源供給部１１０は、モータ駆動制御装置１００の各構成要素に電源を供給することができる。
【００５６】
駆動信号生成部１２０は、制御部１５０の制御に従い、モータ装置２００の駆動制御信号を生成することができる。例えば、所定のデューティ比を有するパルス幅変調信号（以下、ＰＷＭ信号）を生成してインバータ部１３０に提供することにより、モータ装置２００が駆動するようにすることができる。
【００５７】
インバータ部１３０は、モータ装置２００の複数の相それぞれに、駆動制御信号による駆動電流を提供することができる。
【００５８】
逆起電力検出部１４０は、モータ装置２００において発生する逆起電力を検出することができる。
【００５９】
一実施形態において、逆起電力検出部１４０は比較器を含むことができる。比較器は、第１信号及び第２信号を受信し、第１及び第２信号を比較して出力することができる。例えば、相電圧と中性点電圧を第１及び第２信号として受信し、これらを比較して逆起電力を出力することができる。
【００６０】
一実施形態において、逆起電力検出部１４０は、モータ装置２００の複数の相とそれぞれ連結された比較器を用いて逆起電力を検出することができる。
【００６１】
一実施形態において、逆起電力検出部１４０は、現在動作していない相と連結された比較器を用いて逆起電力を検出することができる。これは、現在駆動電流が提供される相によって回転子が回転する場合、現在動作していない相に逆起電力が誘導されるためである。
【００６２】
制御部１５０は、オフセット補正部１６０により、オフセット遅延が補正された逆起電力を逆起電力検出部１４０から受信することができる。制御部１５０は、受信された逆起電力を用いて駆動制御信号を生成するように駆動信号生成部１２０を制御することができる。例えば、制御部１５０は、逆起電力のゼロクロス（Ｚｅｒｏ−Ｃｒｏｓｓｉｎｇ）時点に相転換が行われるように駆動信号生成部１２０を制御することができる。
【００６３】
オフセット補正部１６０は、逆起電力検出部１４０にオフセット遅延が存在するか否か判断し、オフセット遅延が存在すると、それを補正することができる。例えば、比較器を含む逆起電力検出部１４０の一実施形態において、オフセット補正部１６０は、逆起電力検出部１４０に含まれた比較器のオフセット遅延を補正することができる。
【００６４】
以下では、図４から図６を参照してオフセット補正部の一実施形態についてより詳細に説明する。
【００６５】
図４は図３のオフセット補正部の一実施形態を説明するための詳細な構成図であり、図５及び図６は図３のオフセット補正部によるオフセット補正を説明するための参照グラフである。
【００６６】
図３から図６を参照してオフセット補正部の一実施形態についてより詳細に説明すると、オフセット補正部１６０は、基準電圧生成器１６１と、オフセット制御器１６３と、を含むことができる。実施形態によって、オフセット補正部１６０は、カウント器１６２と、可変抵抗器１６４、１６５と、スイッチ器１６６のうち少なくとも一つをさらに含むことができる。
【００６７】
基準電圧生成器１６１は、一定の勾配を有する線形の基準電圧を生成することができる。基準電圧生成器１６１は、生成した基準電圧を比較器１４１の入力信号（以下、第１信号）として提供することができる。基準電圧は、一定の勾配を有しており、比較器１４１のオフセット遅延を検出するのに用いられる。
【００６８】
ここで、比較器１４１は逆起電力検出部１４０に含まれる構成要素である。従って、比較器１４１の出力は逆起電力になることができる。また、比較器１４１は、参照電圧を異なる入力信号（以下、第２信号）として受信することができる。ここで、参照電圧は既に設定された特定の値を維持する信号であることができる。
【００６９】
カウント器１６２は、一定の単位時間を繰り返し生成し、生成された単位時間をオフセット制御器１６３に提供することができる。
【００７０】
オフセット制御器１６３は、時間に対する比較器１４１の出力変化を用いることで、比較器１４１のオフセット遅延を検出することができる。また、オフセット制御器１６３は、検出されたオフセット遅延に応じて可変抵抗器の抵抗値を変更させることにより、オフセット遅延を補正することができる。
【００７１】
図５及び図６を参照してオフセット制御器１６３についてより詳細に説明する。
【００７２】
図５はオフセット補正部によってオフセット補正が行われる前の一例を示すグラフであり、図６はオフセット補正部によってオフセット補正が行われた後の一例を示すグラフである。
【００７３】
図５に示された基準電圧５１０と参照電圧Ｖｄｃ／２は比較器１４１の二つの入力端にそれぞれ入力される。従って、比較器の出力グラフに示されているように、基準電圧５１０が参照電圧Ｖｄｃより大きくなる場合、比較器１４１は出力値として１を有することができる。
【００７４】
また、カウント器１６２は、一定の単位時間を繰り返し生成しており、このような単位時間を基準として一番目のグラフを見ると、基準電圧５１０がＶｄｃに至るには単位時間の６周期が必要であるが、比較器１４１の出力が変化する時点は単位時間の４周期であるということが分かる。参照信号がＶｄｃ／２であることを考慮すると、１単位時間だけの遅延が発生することを示す。これは、比較器１４１自体のオフセット電圧による遅延であって、図面に示されているように、基準電圧５１０が有する所定のｔ軸（またはＶ軸）切片がこのようなオフセット電圧になることができる。
【００７５】
これにより、オフセット制御器１６３は、上述したような動作を行ってオフセット遅延を判断することができる。即ち、オフセット制御器１６３は、カウント器１６２の出力を基準として、比較器１４１の出力が変化する時点を確認し、カウント器１６２の出力、即ち、単位時間を基準として遅延が発生したか否かを判断することができる。
【００７６】
遅延が発生したと判断される場合、オフセット制御器１６３は、遅延を補正するために可変抵抗器の抵抗値を可変するように制御することができる。図４及び図５に示された例において、オフセット制御器１６３は、参照電圧Ｖｄｃ／２と連結された第２可変抵抗器１６５の抵抗成分を可変することにより、即ち、図５のグラフにおいて参照電圧Ｖｄｃ／２をｔ軸に移動させることにより、オフセット遅延を補正することができる（これは実施形態によって、基準電圧５１０の勾配を変更することにより行われることも自明である）。
【００７７】
図６はオフセット制御器１６３によってオフセット遅延が補正された波形及び比較器の出力を示している。
【００７８】
図６に示されているように、オフセット制御器１６３によって第２可変抵抗器１６５の抵抗を可変させることにより、比較器１４１に入力される参照電圧が「Ｖｄｃ／２ーａ」に変更されたことが分かる。よって、比較器１４１の出力の変化も正確に補正され、このような補正によってオフセット遅延が補正されたことが分かる。
【００７９】
一実施形態において、オフセット制御器１６３は、オフセット遅延の補正が完了すると、比較器１４１の入力として相電圧が入力されるようにスイッチ器１６６を制御することができる。即ち、オフセット遅延の補正が行われる前には基準電圧を比較器１４１の入力として入力し、オフセット遅延の補正が行われた後には逆起電力を検出するために比較器１４１の入力を相電圧に転換するようにすることができる。そのために、オフセット補正部１６０は、基準電圧及び相電圧のうち何れか一つを選択的に連結することができるスイッチ器１６６を含むことができる。オフセット制御器１６３は、オフセット遅延の補正有無に応じてスイッチ器１６６がスイッチングされるようにスイッチング制御信号を提供することができる。
【００８０】
可変抵抗器は比較器１４１の入力端と連結される。可変抵抗器は、オフセット制御器１６３の制御に応じて抵抗値を可変することで、オフセット遅延を補正することができる。
【００８１】
一実施形態において、可変抵抗器は比較器１４１の両入力端にそれぞれ備えられることができる。例えば、可変抵抗器は、基準電圧または相電圧が入力される比較器１４１の第１入力端と連結される第１可変抵抗器１６４と、参照電圧が入力される比較器１４１の第２入力端と連結される第２可変抵抗器１６５と、を含むことができる。このような一実施形態の場合、オフセット制御器１６３は、オフセット遅延が＋であるかまたは−であるかに応じて、第１可変抵抗器１６４及び第２可変抵抗器１６５のうち少なくとも一つの抵抗値を可変するように制御することで、オフセット遅延を補正することができる。
【００８２】
一実施形態において、第１及び第２可変抵抗器１６４、１６５は、ラダー（ｌａｄｄｅｒ）構造で構成されることができる。例えば、上記ラダー構造は、直列連結された複数の抵抗と、上記複数の抵抗とそれぞれ並列連結された複数のスイッチと、を含む構造であることができる。ここで、複数のスイッチは、オフセット制御器１６３のスイッチング制御信号に応じてスイッチング動作を行うことで、抵抗値を可変的に設定することができる。
【００８３】
スイッチ器１６６は、比較器１４１の一入力端と連結され、基準電圧及びモータ装置２００の相電圧のうち何れか一つが比較器１４１の入力端に入力されるようにスイッチングすることができる。
【００８４】
図７は本発明によるモータ制御方法の一実施形態を説明するためのフローチャートである。
【００８５】
以下では、図７を参照して本発明によるモータ駆動制御方法の一実施形態を説明する。本発明によるモータ駆動制御方法の一実施形態は、図３から図６を参照して上述したモータ駆動制御装置１００により行われるため、上述の説明と同一であるか、またはそれに相応する内容については繰り返し説明しない。
【００８６】
図７を参照すると、モータ駆動制御装置１００は、一定の勾配を有する線形の基準電圧を生成することができる（Ｓ７１０）。
【００８７】
モータ駆動制御装置１００は、既に設定された値を維持する参照電圧と上記基準電圧とを比較器を用いて比較し、この比較器の出力を用いて比較器のオフセット遅延を判断することができる（Ｓ７２０）。
【００８８】
もし、オフセット遅延が存在すると（Ｓ７３０、はい）、モータ駆動制御装置１００は比較器のオフセット遅延を補正することができる（Ｓ７４０）。
【００８９】
一実施形態において、モータ駆動制御装置１００は、オフセット遅延が補正された比較器を用いて逆起電力を検出することができる（Ｓ７５０）。より詳細に説明すると、モータ駆動制御装置１００は、遅延が補正された比較器からモータ装置に対する逆起電力を検出し、検出された逆起電力を用いてモータ装置の駆動制御信号を生成することができる。
【００９０】
Ｓ７２０の一実施形態において、モータ駆動制御装置１００は、既に設定された値を維持する参照電圧及び基準電圧を受信する比較器の出力を検出した後、所定の単位基準時間に対する比較器の出力変化を用いてオフセット遅延を判断することができる。
【００９１】
ここで、基準電圧は、既に設定された値（第１電圧）まで一定の勾配を有して増加する電圧であり、参照電圧は、上記既に設定された値（第１電圧）の１／２に該当することができる。モータ駆動制御装置１００は、比較器の出力値が変更される第１時点と基準電圧が第１電圧に至る第２時点とを比較し、第１時点が第２時点の１／２値に該当しないと、オフセット遅延が存在すると判断することができる。第１時点と第２時点との比較とは、検出開始から第１時点に至るまでの第１時間と、検出開始から第２時点に至るまでの第２時間との比較であってよい。カウント器１６２の出力を用いて、検出開始から第１時点に至るまでの間にカウント器１６２が生成した単位時間の数と、検出開始から第２時点に至るまでの間にカウント器１６２が生成した単位時間の数とを比較してもよい。
【００９２】
Ｓ７４０の一実施形態において、モータ駆動制御装置１００は、比較器の入力端と連結された可変抵抗の抵抗値を変更することで、オフセット遅延を補正することができる。
【００９３】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有するものには明らかである。
【符号の説明】
【００９４】
１０、１００  モータ駆動制御装置
１１、１１０  電源供給部
１２、１２０  駆動信号生成部
１３、１３０  インバータ部
１４、１４０  逆起電力検出部
１４１  比較器
１５、１５０  制御部
１６０  オフセット補正部
１６１  基準電圧生成器
１６２  カウント器
１６３  オフセット制御器
１６４  第１可変抵抗器
１６５  第２可変抵抗器
１６６  スイッチ器
２０、２００  モータ装置
【図１】
2014117134.tif 000003
【図２】
2014117134.tif 000004
【図３】
2014117134.tif 000005
【図４】
2014117134.tif 000006
【図５】
2014117134.tif 000007
【図６】
2014117134.tif 000008
【図７】
2014117134.tif 000009